(57)【要約】      （修正有）【課題】簡素な構成で原稿のサイズ検出の精度を向上させる画像読取装置を提供する。【解決手段】画像読取装置は、コンタクトガラス１０と、フレーム２０と、発光部３１と、センサー３４と、制御部とを備える。コンタクトガラス１０には、原稿Ｍが載置される。フレーム２０は、コンタクトガラス１０の周縁を囲む。発光部３１は、コンタクトガラス１０及びフレーム２０に向かって発光する。センサー３４は、コンタクトガラス１０を通過した第１反射光及びフレーム２０からの第２反射光を受光し、第１反射光の第１受光量及び第２反射光の第２受光量を検出する。制御部は、第１受光量の変動及び第２受光量の変動を比較する。制御部は、第２受光量の変動を基準として第１受光量の変動が原稿Ｍの存在を示すか否かを判定する。【選択図】図２
2016140040.tif 000002
【特許請求の範囲】
【請求項１】
原稿が載置されるコンタクトガラスと、
前記コンタクトガラスの周縁を囲むフレームと、
前記コンタクトガラス及び前記フレームに向かって発光する発光部と、
前記コンタクトガラスを通過した第１反射光及び前記フレームからの第２反射光を受光し、前記第１反射光の第１受光量及び前記第２反射光の第２受光量を検出するセンサーと、
前記第１受光量の変動及び前記第２受光量の変動を比較する制御部と
を備え
前記制御部は、前記第２受光量の変動を基準として前記第１受光量の変動が前記原稿の存在を示すか否かを判定する、画像読取装置。
【請求項２】
前記発光部の主走査方向に沿った長さは、前記コンタクトガラスの主走査方向に沿った長さより長く、前記フレームの前記主走査方向に沿った長さより短い、請求項１に記載の画像読取装置。
【請求項３】
前記制御部は、前記第１受光量の変動と前記第２受光量の変動とが実質的に一致すると判定することに応じて、前記第１受光量の変動が前記原稿の存在を示すと判定する、請求項１または請求項２に記載の画像読取装置。
【請求項４】
前記センサーが、所定の周期で変動する前記第１受光量を検出することに応じて、前記制御部は、前記第１受光量の変動が前記原稿の存在を示さないと判定する、請求項１から請求項３のいずれか１項に記載の画像読取装置。
【請求項５】
前記発光部が発光する際に、前記センサーが前記第２受光量より多い前記第１受光量を検出することに応じて、前記制御部は、前記第１受光量の変動が前記原稿の存在を示さないと判定する、請求項１から請求項４のいずれか１項に記載の画像読取装置。
【請求項６】
前記発光部は、前記コンタクトガラスの下面と、前記フレームの一対の一部領域とを同時に照射する、請求項１から請求項５のいずれか１項に記載の画像読取装置。
【発明の詳細な説明】
【技術分野】
【０００１】
本発明は、画像読取装置に関する。
【背景技術】
【０００２】
画像読取装置は、原稿台に載置された原稿の画像を読み取る前に、原稿のサイズを検出する。画像読取装置は、光源を備える。光源は、原稿台に向かって画像読取装置のカバーが閉じられる前に、原稿台を照射する。原稿が載置されている位置では、光源の照射した光は、原稿で反射して撮像素子に入射する。一方、原稿が載置されていない位置では、光源の照射した光は、原稿台を通過して原稿台の外部に出射する。従って、撮像素子の受光する光を検出することで、原稿の載置されている位置が検出される。原稿の載置されている位置に基づいて原稿のサイズが検出される。
【０００３】
しかしながら、カバーが閉じられる前に、原稿台に蛍光灯のような外乱光が入射する可能性がある。つまり、撮像素子は、外乱光を受光する可能性がある。従って、撮像素子が受光した外乱光に基づいて、原稿の載置される位置が検出される。その結果、画像読取装置は、原稿のサイズを誤って検出する可能性がある。
【０００４】
そこで、特許文献１に記載の画像読取装置では、外乱光の発光強度の変動と異なるように光源の発光強度を変動させる。従って、撮像素子の受光する光量の変動が、光源の発光強度の変動に連動する場合、原稿台に原稿が載置されていると判断され、原稿の載置される位置が検出される。その結果、原稿の載置される位置に基づいて原稿のサイズが検出される。
【先行技術文献】
【特許文献】
【０００５】
【特許文献１】特開２００６−１９７２６８号公報
【発明の概要】
【発明が解決しようとする課題】
【０００６】
しかしながら、特許文献１に記載の画像読取装置では、光源の発光強度を変動させる。従って、画像読取装置は、光源の発光強度を変動させるドライバーを搭載する必要がある。その結果、画像読取装置の製造コストが高くなるおそれがある。
【０００７】
本発明は上記課題に鑑みてなされたものであり、簡素な構成で原稿のサイズ検出の精度を向上させる画像読取装置を提供することを目的とする。
【課題を解決するための手段】
【０００８】
本発明の観点によれば、画像読取装置は、コンタクトガラスと、フレームと、発光部と、センサーと、制御部とを備える。コンタクトガラスは、原稿が載置される。フレームは、前記コンタクトガラスの周縁を囲む。発光部は、前記コンタクトガラス及び前記フレームに向かって発光する。センサーは、前記コンタクトガラスを通過した第１反射光の第１受光量及び前記フレームからの第２反射光の第２受光量を検出する。制御部は、前記第１受光量の変動及び前記第２受光量の変動を比較する。前記制御部は、前記第２受光量の変動を基準として前記第１受光量の変動が前記原稿の存在を示すか否かを判定する。
【発明の効果】
【０００９】
本発明によれば、簡素な構成で原稿のサイズ検出の精度を向上できる。
【図面の簡単な説明】
【００１０】
【図１】（ａ）本発明の実施形態に係る画像読取装置を示す斜視図である。（ｂ）本発明の実施形態に係る画像読取装置を示す側面図である。
【図２】本発明の実施形態に係るコンタクトガラス及びフレームを示す平面図である。
【図３】本発明の実施形態に係る第１画素値の変動及び第２画素値の変動を示す図である。
【図４】本発明の実施形態に係る第１画素値の変動及び第２画素値の変動を示す図である。
【発明を実施するための形態】
【００１１】
本発明の実施形態について、図面を参照して説明する。なお、以下に説明する実施形態は、特許請求の範囲に係る発明を限定するものではない。また、実施形態の中で説明する構成要素の全てが発明の解決手段に必須であるとは限らない。複数の図を通じて同一の符号は、同一の構成要素を示している。
【００１２】
図１を参照して、本実施形態に係る画像読取装置１について説明する。図１（ａ）は、画像読取装置１の斜視図である。図１（ｂ）は、画像読取装置１を示す側面図である。画像読取装置１は、コンタクトガラス１０と、搬送原稿用コンタクトガラス１１と、フレーム２０と、原稿カバー２２と、撮像部３０と、操作部４０と、制御部５０とを備える。画像読取装置１は、原稿Ｍの画像を読み取る。
【００１３】
コンタクトガラス１０は、例えば、透明なガラスで形成される。本実施形態において、コンタクトガラス１０の上に原稿Ｍが載置される。原稿Ｍは、例えばシートである。フレーム２０は、コンタクトガラス１０の周縁を囲む。フレーム２０は、例えば、黒色に着色された遮光性を有する樹脂材料により形成される。樹脂材料には、例えば、ポリカーボネートを適用できる。フレーム２０は、支持板２１を含む。支持板２１については後述する。
【００１４】
撮像部３０は、コンタクトガラス１０の下方に配置される。撮像部３０は、副走査方向に沿って移動する。副走査方向は、図１におけるＸ方向に沿った方向である。主走査方向は、図１におけるＹ方向に沿った方向である。副走査方向と主走査方向とは、直交する。撮像部３０は、発光部３１、ミラー３２、レンズ３３、及びセンサー３４を含む。
【００１５】
発光部３１は、複数の発光素子を有する。発光素子は、例えば、ＬＥＤ（Ｌｉｇｈｔ  Ｅｍｉｔｔｉｎｇ  Ｄｉｏｄｅ）である。発光部３１は、下方からコンタクトガラス１０及びフレーム２０に向かって発光する。発光部３１の発光した位置に原稿Ｍが載置されている場合は、発光部３１の発光した光は、原稿Ｍによって反射される。原稿Ｍによって反射された光は、コンタクトガラス１０を通過しミラー３２に到達する。ミラー３２に到達した光は、ミラー３２で反射され、レンズ３３を通りセンサー３４に到達する。なお、発光部３１が照射した位置に原稿Ｍが載置されていない場合は、照射した光は、コンタクトガラス１０の上方に出射する。また、フレーム２０によって反射された光は、ミラー３２に到達し、同様にしてセンサー３４に到達する。
【００１６】
センサー３４は、例えば、ＣＣＤ（Ｃｈａｒａｇｅ  Ｃｏｕｐｌｅｄ  Ｄｅｖｉｃｅ）である。センサー３４は、センサー３４に到達した反射光の光量、すなわち受光量を原稿Ｍの主走査方向に沿った１ライン毎に検出する。受光量は、アナログ信号である。その後、例えば、ＡＦＥ（Ａｎａｌｏｇ  Ｆｒｏｎｔ  Ｅｎｄ）において、受光量はアナログ信号からデジタル信号に変換される。そしてデジタル信号に変換された受光量を示すデータ（画素値）は制御部５０へと入力される。
【００１７】
原稿カバー２２は、コンタクトガラス１０に対して開閉可能に取り付けられる。原稿カバー２２は、原稿搬送装置（ＡＤＦ：Ａｕｔｏｍａｔｉｃ  Ｄｏｃｕｍｅｎｔ  Ｆｅｅｄｅｒ）を兼ねることが好ましい。画像読取装置１は、原稿搬送装置によって搬送される原稿Ｍの画像を読み取ることもできる。原稿搬送装置によって搬送される原稿Ｍは、搬送原稿用コンタクトガラス１１を介して画像を読み取られる。搬送原稿用コンタクトガラス１１は、支持板２１を介してコンタクトガラス１０に隣り合うように配置される。フレーム２０は、搬送原稿用コンタクトガラス１１の周縁をさらに囲む。
【００１８】
操作部４０は、ディスプレー４１及び入力部４２を含む。ディスプレー４１は、例えばタッチパネル機能を有するＬＣＤ（Ｌｉｑｕｉｄ  Ｃｒｙｓｔａｌ  Ｄｉｓｐｌａｙ）又はＥＬＤ（Ｅｌｅｃｔｒｏ  Ｌｕｍｉｎｅｓｃｅｎｃｅ  Ｄｉｓｐｌａｙ）である。入力部４２は、例えば、マウス又はキーボードであってもよい。ユーザーは、ディスプレー４１及び／又は入力部４２を介して画像読取装置１を操作する。
【００１９】
次に、図２を参照して発光部３１について説明する。図２は、コンタクトガラス１０及びフレーム２０を示す平面図である。図２では、コンタクトガラス１０及びフレーム２０が上方から示される。発光部３１の主走査方向に沿った長さＬ２は、コンタクトガラス１０の主走査方向に沿った長さＬ１より長い。また、発光部３１の主走査方向に沿った長さＬ２は、フレーム２０の主走査方向に沿った長さＬ３より短い。
【００２０】
主走査方向に沿って延びる発光部３１の両端は、コンタクトガラス１０よりも外側に位置している。発光部３１の両端のそれぞれは、コンタクトガラス１０の主走査方向の両外側であり、フレーム２０の一対の一部領域Ｐに対向する。従って、発光部３１は、コンタクトガラス１０の一方端から他方端までと、一対の一部領域Ｐとを主走査方向に沿った１ライン毎に同時に照射することができる。
【００２１】
センサー３４は、コンタクトガラス１０を通過した第１反射光を受光する。そして、センサー３４は、第１反射光の第１受光量を検出する。また、センサー３４は、フレーム２０の一対の一部領域Ｐからの第２反射光を受光する。そして、センサー３４は、第２反射光の第２受光量を検出する。
【００２２】
次に、図１及び図２を参照して撮像部３０の動作について説明する。画像読取装置１は、第１スイッチ及び第２スイッチを含む。第１スイッチは、原稿カバー２２が閉じられようとすることを検知する。第２スイッチは、原稿カバー２２が閉じられたことを検知する。
【００２３】
第１スイッチが、原稿カバー２２が閉じられるようとすることを検知すると、本実施形態の画像読取装置１は、原稿搬送装置に載置される原稿Ｍ、及びコンタクトガラス１０に載置される原稿Ｍのうちいずれの原稿Ｍを読み取るかを決定する。例えば、本実施形態の画像読取装置１は、原稿搬送装置に載置される原稿Ｍを検出する場合、原稿搬送装置に搬送される原稿Ｍを読み取ると決定する。一方、原稿搬送装置に載置される原稿Ｍを検出しない場合には、画像読取装置１は、コンタクトガラス１０に載置された原稿Ｍを読み取ると決定する。
【００２４】
本実施形態の画像読取装置１は、コンタクトガラス１０に載置された原稿Ｍの画像を読み取ると決定する場合に、原稿Ｍのサイズ検出を行う。原稿Ｍのサイズ検出は、第１スイッチが、原稿カバー２２が閉じられようとすることを検知してから、第２スイッチが、原稿カバー２２が閉じられたことを検知するまでに実行される。
【００２５】
撮像部３０は、待機中には、予め定められた待機位置に位置している。待機中とは、撮像部３０が原稿Ｍの画像の読取っていない状態である。本実施形態において、撮像部３０の待機位置は、センサー３４の一方端が支持板２１の一方端から副走査方向に沿って長さＬ４離れた位置である。コンタクトガラス１０に載置される原稿Ｍの画像を読み取る場合、撮像部３０は、待機位置で原稿Ｍのサイズ検出を行う。
【００２６】
原稿Ｍの大きさは、ユーザーに任意に選択された大きさである。従って、撮像部３０の待機位置を支持板２１に近づけると、撮像部３０は、原稿Ｍの副走査方向に沿った大きさが小さい場合であっても原稿Ｍを検出できる。また、撮像部３０の待機位置を支持板から離すと、撮像部３０を副走査方向に沿って移動させるモーターの駆動力の低下を抑制できる。従って、センサー３４の一方端から支持板２１の一方端までの長さＬ４の好適な大きさは、５ｃｍ〜１０ｃｍである。
【００２７】
原稿Ｍのサイズ検出を行うにあたって、まず、発光部３１は、コンタクトガラス１０の下面と、フレーム２０の一対の一部領域Ｐとを同時に照射する。発光部３１の発光量は、発光部３１が照射し始めてから時間の経過と共に増加し、所定の時間が経過すると一定になる。
【００２８】
原稿Ｍの載置された位置では、発光部３１の照射した光は、原稿Ｍによって反射される。原稿Ｍによって反射された第１反射光は、コンタクトガラス１０を通過してミラー３２に到達する。ミラー３２に到達した第１反射光は、ミラー３２によって反射され、レンズ３３を通過し、センサー３４に受光される。センサー３４は、所定の時間が経過するまで第１反射光の第１受光量を検出し続ける。従って、センサー３４は、発光部３１が照射し始めてから所定の時間が経過するまでの第１受光量の変動を検出する。
【００２９】
一方、原稿Ｍの載置されていない位置では、発光部３１の照射した光は、コンタクトガラス１０の上部に出射する。ただし、原稿カバー２２がコンタクトガラス１０に対して開いているため、外乱光がコンタクトガラス１０を通過してミラー３２に入射する可能性がある。従って、センサー３４は、外乱光を第１反射光として受光し、外乱光としての第１受光量の変動をさらに検出する可能性がある。
【００３０】
外乱光としての第１受光量は、外乱光の点灯周期に応じて変動する。例えば、外乱光が画像読取装置１の設置された部屋の蛍光灯の光である場合、第１受光量は、蛍光灯の点灯周期に応じて変動する。蛍光灯には、交流電圧が供給される。従って、蛍光灯の発光量は、所定の周期で変動している。その結果、外乱光としての第１受光量は、所定の周期で変動する。
【００３１】
また、一対の一部領域Ｐの位置では、発光部３１の照射した光は、フレーム２０の下面によって反射される。フレーム２０の下面によって反射された第２反射光は、ミラー３２に導かれてレンズ３３を通過し、センサー３４に受光される。センサー３４は、所定の時間が経過するまで第２反射光の第２受光量を検出し続ける。従って、センサー３４は、発光部３１が発光し始めてから所定の時間が経過するまでの第２受光量の変動をさらに検出する。蛍光灯としての外乱光の発光量の変動を検出するため、センサー３４は、蛍光灯の点灯周期より長く第１受光量及び第２受光量を検出する。すなわち、所定の時間は、蛍光灯の点灯周期より長い。
【００３２】
フレーム２０は、遮光性を有し、固定されている。従って、原稿Ｍによって反射されコンタクトガラス１０を通過した第１反射光の第１受光量、とフレーム２０からの第２反射光の第２受光量とは、実質的に同一に変動する。その結果、フレーム２０をコンタクトガラス１０に載置される原稿Ｍとみなすことができる。その結果、第２受光量の変動を基準として、第１受光量の変動が原稿Ｍの存在を示すか否かが判定される。
【００３３】
第１受光量及び第２受光量はアナログ信号である。アナログ信号の第１受光量は、ＡＦＥにおいて、デジタル信号の第１画素値に変換される。また、アナログ信号の第２受光量は、ＡＦＥにおいて、デジタル信号の第２画素値に変換される。従って、第１画素値の変動を示すデータ、及び第２画素値の変動を示すデータが制御部５０に入力される。つまり、第１画素値の変動は、第１受光量の変動に対応する。そして、第２画素値の変動は、第２受光量の変動に対応する。
【００３４】
制御部５０は、第１画素値の変動を示すデータ及び第２画素値の変動を示すデータを比較する。そして、制御部５０は、第２画素値の変動を示すデータを基準として第１画素値の変動を示すデータが原稿Ｍの存在を示すか否かを判定する。制御部５０は、原稿Ｍの存在する第１画素値に基づいて原稿Ｍの位置を検出し、原稿Ｍの位置に基づいて原稿Ｍのサイズを検出する。
【００３５】
本実施形態によれば、第１受光量の変動及び第２受光量の変動が比較され、第２受光量の変動を基準として第１受光量の変動が原稿Ｍの存在を示すか否かが判定される。従って、原稿Ｍの存在を判定する精度が向上し、原稿Ｍの載置される位置を検出する精度が向上する。その結果、原稿Ｍのサイズ検出の精度が向上する。
【００３６】
また、本実施形態によれば、コンタクトガラス１０を通過した光の第１受光量及びフレーム２０からの第２反射光の第２受光量が検出される。従って、第２受光量の変動を基準として、第１受光量の変動が、コンタクトガラス１０に載置される原稿Ｍの存在を示すか否かが判定される。その結果、簡素な構成で原稿Ｍのサイズ検出の精度を向上できる。例えば、発光部３１の発光量を所定の周期で変動させるドライバーを不要として、第１受光量が外乱光であるか否かが判定される。
【００３７】
次に、図３を参照して制御部５０が比較する第１画素値Ｗ１Ａ、第１画素値Ｗ１Ｂ及び第２画素値Ｗ２の変動について説明する。図３は、第１画素値Ｗ１Ａの変動、第１画素値Ｗ１Ｂの変動、及び第２画素値Ｗ２の変動を示す。縦軸は、画素値を示す。横軸は、発光部３１の発光時間を示す。図３において、第１画素値Ｗ１Ａの変動を一点鎖線で示し、第１画素値Ｗ１Ｂの変動を破線で示し、第２画素値Ｗ２の変動を実線で示す。
【００３８】
第２画素値Ｗ２は、発光部３１が発光してから発光時間の経過と共になだらかに増加している。また、第２画素値Ｗ２は、所定の時間が経過すると一定の値を示す。第２画素値Ｗ２の変動は、センサー３４が検出したフレーム２０の下面によって反射された第２反射光の第２受光量の変動を示す。従って、第２画素値Ｗ２の変動は、制御部５０が第１画素値Ｗ１Ａ及び第１画素値Ｗ１Ｂのそれぞれの変動が原稿Ｍの存在を示すか否かを判定する基準となる。
【００３９】
第１画素値Ｗ１Ａは、原稿Ｍによって反射され、コンタクトガラス１０を通過し、センサー３４に検出された第１反射光の第１受光量を示す。第１画素値Ｗ１Ａは、第２画素値Ｗ２と同様に、発光部３１が発光してから発光時間の経過と共になだらかに増加している。また、第１画素値Ｗ１Ａは、第２画素値Ｗ２と同様に、所定の時間が経過すると一定の値を示す。従って、制御部５０は、第１画素値Ｗ１Ａの変動と第２画素値Ｗ２の変動とが実質的に一致すると判定する。その結果、制御部５０は、第１画素値Ｗ１Ａの変動が原稿Ｍの存在を示すと判定する。なお、発光部３１が発光してから所定の時間が経過した後の第２画素値Ｗ２と第１画素値Ｗ１との差は、フレーム２０の輝度値と、原稿Ｍの輝度値との差に対応する。
【００４０】
一方、第１画素値Ｗ１Ｂは、原稿Ｍに反射されずにコンタクトガラス１０を通過し、センサー３４に検出された光の第１受光量に対応する。第１画素値Ｗ１Ｂは、第２画素値Ｗ２と同様に、発光部３１が発光してからの発光時間の経過と共になだらかに増加している。
【００４１】
しかしながら、第１画素値Ｗ１Ｂは、発光部３１が発光してから所定の時間が経過すると減少している。つまり、第１画素値Ｗ１Ｂは、所定の周期で変動している。本実施形態において、第１画素値Ｗ１Ｂの変動は、外乱光の点灯周期に応じた変動を示す。従って、センサー３４が所定の周期で変動する第１画素値Ｗ１Ｂを検出することに応じて、制御部５０は、第１画素値Ｗ１Ｂの変動と第２画素値Ｗ２の変動とが一致しないと判定する。その結果、制御部５０は、第１画素値Ｗ１Ｂの変動が原稿Ｍの存在を示さないと判定する。
【００４２】
本実施形態によれば、第１受光量に対応する第１画素値Ｗ１Ａの変動と第２受光量に対応する第２画素値Ｗ２の変動とが実質的に一致すると判断されることに応じて、第１画素値Ｗ１Ａの変動が、原稿Ｍの存在を示すか否かが判断される。従って、第２画素値Ｗ２の変動を基準として原稿Ｍの載置される位置を検出できる。その結果、原稿Ｍの載置される位置に基づいて原稿Ｍがサイズ検出される。
【００４３】
また、本実施形態によれば、第１受光量に対応する第１画素値Ｗ１Ｂの変動と第２画素値Ｗ２の変動とが一致しないと判断されることに応じて、第１受光量の変動は、原稿Ｍの存在を示さないと判断される。従って、センサー３４が外乱光を受光した場合、第１受光量の変動は、原稿Ｍを示さないと判断できる。その結果、外乱光による原稿Ｍのサイズの誤検出を抑制できる。
【００４４】
次に、図４を参照して制御部５０が比較する第１画素値Ｗ１Ｃの変動及び第２画素値Ｗ２の変動について説明する。図４は、第１画素値Ｗ１Ｃの変動及び第２画素値Ｗ２の変動を示す。縦軸は、画素値を示す。横軸は、発光部３１の発光時間を示す。図４において、第１画素値Ｗ１Ｃの変動を破線で示し、第２画素値Ｗ２の変動を実線で示す。第２画素値Ｗ２の変動については、図３で説明したため説明を省略する。
【００４５】
第１画素値Ｗ１Ｃは、原稿Ｍに反射されずにコンタクトガラス１０を通過し、センサー３４に検出された光の第１受光量に対応する。発光部３１が発光する際の第１画素値Ｗ１Ｃは、第２画素値Ｗ２より多い。つまり、第１画素値Ｗ１Ｃは、発光部３１が発光する際に発光している光をセンサー３４が検出したことを示す。従って、発光部３１が発光する際に、センサー３４が第２画素値Ｗ２より多い第１画素値Ｗ１Ｃを検出することに応じて、制御部５０は、第１画素値Ｗ１Ｃの変動と第２画素値Ｗ２の変動とが一致しないと判定する。その結果、制御部５０は、第１画素値Ｗ１Ｃの変動が原稿Ｍの存在を示さないと判定する。
【００４６】
なお、第１画素値Ｗ１Ｃは、発光部３１の発光時間の経過と共に一定の値を示している。つまり、第１画素値Ｗ１Ｃは、所定の周期で変動していない。従って、第１画素値Ｗ１Ｃに対応する第１受光量は、直流電圧が供給された光源の光である。直流電圧が供給される光源は、例えば、インバーターである。
【００４７】
なお、所定の周期で変動していない第１受光量は、太陽光を示す場合もある。従って、コンタクトガラス１０に太陽光が入射する位置に画像読取装置１が設置されている場合であっても、制御部５０は、太陽光を外乱光として検出できる。その結果、原稿Ｍのサイズ検出の精度がさらに向上する。
【００４８】
次に、図１及び図２を参照して原稿Ｍの画像を読み取る撮像部３０の動作について説明する。第２スイッチが、原稿カバー２２が閉じられたことを検知すると、撮像部３０は、支持板２１の直下に移動する。支持板２１は、白基準部材として機能する。白基準部材は、シェーディング補正のための白基準データを生成するための部材である。シェーディング補正により、白基準データに基づいて、センサー３４の感度の不均一性、発光部３１の照射する光の光量の不均一性、及び反射光を結像するレンズ３３による結像の不均一性を補正する。
【００４９】
ユーザーが、操作部４０を操作して原稿Ｍの画像の読取りを開始させると、撮像部３０は、副走査方向に沿って移動しつつ、原稿Ｍの画像を読み取る。撮像部３０の移動する副走査方向に沿った範囲は、検出した原稿Ｍのサイズに対応する。画像読取装置１が原稿搬送装置に載置される原稿Ｍの画像を読み取る場合は、撮像部３０は、搬送原稿用コンタクトガラス１１の直下に移動する。
【００５０】
原稿カバー２２の下面には、白色板２３が取り付けられる。原稿カバー２２がコンタクトガラス１０に対して閉じられている場合、発光部３１の照射した光は、原稿Ｍの載置されていない位置では、コンタクトガラス１０を通過し、白色板２３によって反射される。白色板２３によって反射された光は、ミラー３２によって反射され、レンズ３３を通過してセンサー３４に受光される。センサー３４は、発光部３１の発光量と略同一量の反射光を受光する。制御部５０は、発光部３１の発光量と略同一量の反射光をセンサー３４が受光した場合、原稿Ｍが存在しないと判定する。
【００５１】
本実施形態によれば、原稿Ｍの画像を読み取る前に、原稿Ｍのサイズ検出が行われる。従って、画像読取装置１は、原稿Ｍの画像を読み取る際の撮像部３０が副走査方向に沿って移動する範囲を予め決定できる。その結果、撮像部３０の移動による電力消費を抑制できる。
【００５２】
また、本実施形態によれば、原稿Ｍの画像を読み取る前に、原稿Ｍのサイズを検出する。従って、画像読取装置１は、原稿Ｍの画像を読み取る際に、主走査方向に沿った発光部３１及びセンサー３４の駆動させる範囲を決定できる。その結果、発光部３１及びセンサー３４の駆動による電力消費を抑制できる。
【００５３】
以上、図面（図１〜図４）を参照しながら本発明の実施形態について説明した。但し、本発明は、上記の実施形態に限られるものではなく、その要旨を逸脱しない範囲で種々の態様において実施することが可能である（例えば、下記に示す（１）〜（２））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００５４】
（１）図１を参照して説明したように、撮像部３０は、単数のミラー３２を含むが、撮像部３０は、複数のミラー３２を含んでもよい。
【００５５】
（２）画像読取装置１は、例えば、画僧形成装置に搭載される。画像形成装置は、例えば複合機である。複合機は、例えば、複写機、プリンター、及びファクシミリのうち少なくとも２つの機器を備える。複合機は、画像読取装置１が読み取った原稿Ｍの画像をシートに形成する。この変形例によれば、原稿Ｍの画像を読み取る前に、原稿Ｍのサイズを検出する。従って、画像形成装置は、あらかじめ、画像を形成されるシートを選択できる。その結果、シートへの画像を形成する時間を短縮できる。
【産業上の利用可能性】
【００５６】
本発明は、画像読取装置の分野に利用可能である。
【符号の説明】
【００５７】
１      画像読取装置
１０    コンタクトガラス
２０    フレーム
３１    発光部
３４    センサー
５０    制御部
Ｍ      原稿
【図１】
2016140040.tif 000003
【図２】
2016140040.tif 000004
【図３】
2016140040.tif 000005
【図４】
2016140040.tif 000006